(57)【特許請求の範囲】
【請求項１】
可撓性を有するフラットケーブルにおける導線が露出してなる挿入部を、ハウジングに開口されて接点部が配された挿入口に挿入し、前記接点部と前記導線とを接続するための構造であって、
前記フラットケーブルには山形に屈曲可能な補強部が設けられるとともに、前記ハウジングには、前記フラットケーブルの前記山形部分を載置可能な載置面が設けられ、この山形部分の頂上を押すことにより山形部分が扁平化してその両裾に相反する方向への移動力が作用可能となっており、
前記山形部分の両裾の少なくとも一方に前記挿入部が設けられるとともに、前記挿入口は、前記山形部分が扁平化した場合に前記挿入部が押し込み可能な位置に対向して設けられていることを特徴とするフラットケーブルの接続構造。
【請求項２】
前記フラットケーブルは、その長さ方向の先端縁に前記挿入部が形成され、かつこのフラットケーブルを横切って稜線を頂くような山形に屈曲可能とされている一方、前記ハウジングでは、前記載置面と前記挿入口とが前記フラットケーブルの長さ方向に沿った向きに並んで形成され、かつ前記載置面の前記挿入口と反対側の縁部には前記フラットケーブルの山形部分の後方側の裾に係止する係止部が設けられていることを特徴とする請求項１記載のフラットケーブルの接続構造。
【請求項３】
前記フラットケーブルは、その長さ方向の先端側の側縁に前記挿入部が形成され、かつこのフラットケーブルの長さ方向に沿った稜線を頂くような山形に屈曲可能とされている一方、前記ハウジングでは、前記載置面と前記挿入口とが前記フラットケーブルを横切る方向に並んで形成され、かつ前記載置面には前記フラットケーブルの山形部分の前記挿入部とは反対側の裾に係止する係止部が設けられていることを特徴とする請求項１記載のフラットケーブルの接続構造。
【請求項４】
前記フラットケーブルは、その長さ方向の先端側の両側縁に前記挿入部が形成され、かつこのフラットケーブルの長さ方向に沿った稜線を頂くような山形に屈曲可能とされている一方、前記ハウジングでは、前記載置面における前記フラットケーブルを横切る方向の両側に前記挿入口が形成されていることを特徴とする請求項１記載のフラットケーブルの接続構造。
【請求項５】
前記ハウジングには、前記載置面上で前記フラットケーブルの山形部分が扁平化された場合に、このフラットケーブルと係合してその浮き上がりを規制する浮き上がり規制部が設けられていることを特徴とする請求項１ないし請求項４のいずれかに記載のフラットケーブルの接続構造。
【請求項６】
前記ハウジングには前記載置面を覆う蓋体が開閉可能に設けられ、この蓋体が閉鎖された場合には前記フラットケーブルの挿入部が前記接点部に押し付けられる設定となっていることを特徴とする請求項１記載のフラットケーブルの接続構造。
【発明の詳細な説明】
【０００１】
【発明の属する技術分野】
本発明は、フラットケーブルの接続構造に関する。
【０００２】
【従来の技術】
図２１及び図２２によって従来の技術を説明する。フラットケーブル１の一般的な構造は、図２１に示すように、帯状の樹脂ベース上に複数の導線２が配線され、先端側の一定領域（挿入部４）を除いて樹脂フィルムでカバーすることで全体として可撓性を保有し、挿入部４のみに剛性を付与すべく裏面に補強板３が張られた構造である。一方、上記のようなフラットケーブル１を接続するためのコネクタとしては、無挿入力タイプのものと、有挿入力タイプのものとが知られており、有挿入力タイプのものが同図左側に示されている。これは、ハウジング５に前面に開口した挿入口５Ａが形成される一方、複数のスリット状のキャビティ６が列設されてそれぞれに二股状のアーム部７を有するターミナル８が装着され、上方のアーム部７の先端に接点部９が設けられた構造である。そして、図２１の矢線に示すように、フラットケーブル１の挿入部４がターミナル８の両アーム部７を広げつつ挿入口５Ａに挿入され、両アーム部７により弾性的に挟持されるとともに、対応する導線２と接点部９同士が接触して導通が取られるようになっている。
【０００３】
ところで有挿入力タイプのコネクタにフラットケーブル１を接続する場合には、挿入の際にターミナル８から抵抗を受け、一方フラットケーブル１は上記のように可撓性に富んでいていわゆる腰の弱い構造であるため、図２２に示すように、座屈変形を伴って挿入がし辛いという問題があった。尤も、ターミナル８の両アーム部７の間隔を予め広げた構造とすれば、抵抗が小さくなって挿入がスムーズに行えるが、逆に抜け止めの保持力が弱くなるため簡単には採用できない。
【０００４】
【発明が解決しようとする課題】
上記のような挿入時におけるフラットケーブル１の座屈変形を防止するためには、例えば剛性に富んだ挿入部４の後端部分を指で摘んで挿入することが考えられるが、特にフラットケーブル１が小型であると、指がすぐにハウジング５の前面に当たってしまい却って挿入し難い。またそれを避けるために、補強板３を後方に長く延ばして剛性の高い領域を広く取り、その後端側を摘んで挿入することも考えられるが、そうするとフラットケーブル１を屈曲し得る部分がより後方に限定されることになって、ハウジング５の前方に大きなスペースを要する結果となる。すなわち、有挿入力タイプのコネクタにフラットケーブルをスムーズに接続することについて、必ずしも有効な解決策が見い出せていないのが実状であった。
本発明は上記のような事情に基づいて完成されたものであって、その目的は、フラットケーブルのスムーズな挿入を実現させ、その作業性を向上させるところにある。
【０００６】
【課題を解決するための手段】
請求項１の発明は、可撓性を有するフラットケーブルにおける導線が露出してなる挿入部を、ハウジングに開口されて接点部が配された挿入口に挿入し、前記接点部と前記導線とを接続するための構造であって、前記フラットケーブルには山形に屈曲可能な補強部が設けられるとともに、前記ハウジングには、前記フラットケーブルの前記山形部分を載置可能な載置面が設けられ、この山形部分の頂上を押すことにより山形部分が扁平化してその両裾に相反する方向への移動力が作用可能となっており、前記山形部分の両裾の少なくとも一方に前記挿入部が設けられるとともに、前記挿入口は、前記山形部分が扁平化した場合に前記挿入部が押し込み可能な位置に対向して設けられている構成としたところに特徴を有する。
【０００７】
請求項２の発明は、請求項１の発明において、前記フラットケーブルは、その長さ方向の先端縁に前記挿入部が形成され、かつこのフラットケーブルを横切って稜線を頂くような山形に屈曲可能とされている一方、前記ハウジングでは、前記載置面と前記挿入口とが前記フラットケーブルの長さ方向に沿った向きに並んで形成され、かつ前記載置面の前記挿入口と反対側の縁部には前記フラットケーブルの山形部分の後方側の裾に係止する係止部が設けられているところに特徴を有する。
【０００８】
請求項３の発明は、請求項１の発明において、前記フラットケーブルは、その長さ方向の先端側の側縁に前記挿入部が形成され、かつこのフラットケーブルの長さ方向に沿った稜線を頂くような山形に屈曲可能とされている一方、前記ハウジングでは、前記載置面と前記挿入口とが前記フラットケーブルを横切る方向に並んで形成され、かつ前記載置面には前記フラットケーブルの山形部分の前記挿入部とは反対側の裾に係止する係止部が設けられているところに特徴を有する。
【０００９】
請求項４の発明は、請求項１の発明において、前記フラットケーブルは、その長さ方向の先端側の両側縁に前記挿入部が形成され、かつこのフラットケーブルの長さ方向に沿った稜線を頂くような山形に屈曲可能とされている一方、前記ハウジングでは、前記載置面における前記フラットケーブルを横切る方向の両側に前記挿入口が形成されているところに特徴を有する。
【００１０】
請求項５の発明は、請求項１ないし請求項４のいずれかの発明において、前記ハウジングには、前記載置面上で前記フラットケーブルの山形部分が扁平化された場合に、このフラットケーブルと係合してその浮き上がりを規制する浮き上がり規制部が設けられているところに特徴を有する。
【００１１】
請求項６の発明は、請求項１の発明において、前記ハウジングには前記載置面を覆う蓋体が開閉可能に設けられ、この蓋体が閉鎖された場合には前記フラットケーブルの挿入部が前記接点部に押し付けられる設定となっているところに特徴を有する。
【００１２】
【発明の作用及び効果】
＜請求項１の発明＞
フラットケーブルを挿入部の後方の位置で山形に屈曲した状態で載置面上に載せ、山形部分の頂上を押し込むと、山形部分が扁平化されつつ挿入部が挿入口に押し入れられる。挿入部のすぐ後方の位置から押し込んで挿入口に挿入できるので、座屈を生じることなく円滑に挿入することができる。
【００１３】
＜請求項２の発明＞
フラットケーブルの屈曲された山形部分の頂上を押し込むと、山形部分の後方側の裾が係止部で係止されて、後方への滑り止めがなされつつ山形部分が前方に扁平化され、挿入部は強い押し込み力を持って前方の挿入口に挿入される。
＜請求項３の発明＞
フラットケーブルの屈曲された山形部分の頂上を押し込むと、山形部分の挿入部を設けた側と反対側の裾が係止部で係止されて滑り止めがなされつつ、山形部分が側方に扁平化され、挿入部は強い押し込み力を持って側方の挿入口に挿入される。
＜請求項４の発明＞
フラットケーブルの屈曲された山形部分の頂上を押し込んで扁平化させると、両側の挿入部がそれぞれ対応する挿入口に同時に挿入される。
【００１４】
＜請求項５の発明＞
山形部分が扁平化されて挿入部が正規に挿入されると、浮き上がり規制部により載置面に押し付けられた部分の浮き上がりが規制される。山形部分の復元が阻止されて、挿入部に抜け方向の力が作用することが防止される。
＜請求項６の発明＞
蓋体に対してフラットケーブルの挿入部を接点に押し付ける機能を持たせたので、接点側で挿入部を挟持する力を低減または無くすことも可能であって、挿入部を挿入する際の低挿入力または無挿入力化を実現することができる。
【００１５】
【発明の実施の形態】
以下、本発明の実施形態を添付図面に基づいて説明する。
＜第１実施形態＞
本発明の第１実施形態を図１ないし図４によって説明する。
図１において、符号１０はフラットケーブルであって、可撓性を有する帯状の基材１１の上面に複数条の導線１２が平行に配線され、先端側の短寸の領域を除いた上面が樹脂フィルム１３でカバーされ、先端部に導線１２が露出された挿入部１４が形成されている。この挿入部１４からその後方の所定領域にわたる下面には、剛性の高い素材からなる補強板１５が接着され、この補強板１５の張られた部分が補強部１７となっている。また、補強板１５の長さ方向の中央部の下面には、切欠溝１６が全幅にわたって形成されていて、詳しくは後記するように、この切欠溝１６から補強部１７が屈曲できるようになっている。
【００１６】
このフラットケーブル１０を接続するためのハウジング２０は、扁平なブロック状に形成され、図示しない回路基板に取り付けられる。ハウジング２０の上面には、後端側（図１の右側）と、左右の側縁に壁部２１，２２が立ち上がって形成されており、壁部２１，２２で囲まれた部分の底面が載置面２３となっている。載置面２３の横幅はフラットケーブル１０のそれとほぼ等しくなっている。
【００１７】
後端の壁部２１の内面には、フラットケーブル１０の挿入部１４が挿入される挿入口２５が横向きに形成されている。また、後端の壁部２１から載置面２３の奥側にわたる部分には、複数のスリット状のキャビティ２６が、挿入口２５と交差するようにして横方向に間隔を開けて形成されており、各キャビティ２６内に、ターミナル３０がそれぞれ後面（図１の右側）から挿入されて収容されている。
【００１８】
ターミナル３０は導電性の金属板を打ち抜いて形成されており、支柱３１の前縁の上端側に短寸の上部アーム３２が突設されるとともに、下端側にヘアピン状に屈曲された下部アーム３３が形成され、両アーム３２，３３の先端にはそれぞれ接点部３４，３５が対向して形成されている。両接点部３４，３５は、フラットケーブル１０の挿入部１４を弾性的に挟持可能な間隔を開けて対応している。なお、ターミナル３０の支柱３１の下端から後方に突設された接続部３６は、ハウジング２０が回路基板に取り付けられた場合に、回路基板上の導電路と半田付けにより接続されるようになっている。
また、ハウジング２０の載置面２３における挿入口２５とは反対側の縁部には、フラットケーブル１０の補強板１５の後縁に係止する係止段部２８が突設されている。
【００１９】
本第１実施形態は上記のような構造であって、続いて挿入手順について説明する。
まず、図２に示すように、フラットケーブル１０の補強部１７を、補強板１５の切欠溝１６から山形となるように屈曲する。この山形の補強部１７をハウジング２０の載置面２３上に載せ、図３に示すように、補強板１５の後縁を係止段部２８に当てる。このとき挿入部１４は挿入口２５の少し手前に位置している。係る状態から同図の矢線に示すように、指Ｆで山の頂上を押し込む。そうすると、山の後方側の裾が係止段部２８に当たっていることで後方への滑り止めがなされつつ、山が前方に向けて扁平化され、先端の挿入部１４は強い押し込み力を持って前方の挿入口２５に挿入される。これにより、図４に示すように、挿入部１４は下部アーム３３を撓み変形させつつ挿入され、下部アーム３３の復元弾力によって上下のアーム３２，３３間で挟持されるとともに、各導線１２が上部アーム３２の接点部３４と接触して導通が取られる。
【００２０】
以上説明したように本実施形態によれば、剛性の高い補強部１７を山形に屈曲しておき、その山の頂上を押して扁平化させることで挿入部１４を挿入口２５内に挿入するようにしたから、途中で座屈等を起こすことなく大きな力で挿入することができ、フラットケーブル１０の接続作業を簡単にかつ確実に行うことができる。
【００２１】
＜第２実施形態＞
図５は、本発明の第２実施形態を示す。この第２実施形態では、フラットケーブル１０の補強部１７を山形に屈曲する場合に屈曲がよりしやすいように、補強板が２枚の補強板１５Ａ，１５Ａに分割されて、間に隙間１８を設けて貼られている。
それ以外の構造並びに作用効果については、第１実施形態と同様である。
【００２２】
＜第３実施形態＞
次に、本発明の第３実施形態を図６ないし図１０によって説明する。
この第３実施形態では、図６に示すように、フラットケーブル１０に張られた補強板１５において、その後端の左右の側縁に、小幅の係止片４１が外側に張り出し形成されている。一方ハウジング２０側では、左右の壁部２２における係止段部２８のすぐ内側に入った位置に、上縁から載置面２３の位置に達する係止溝４２が形成されている。この係止溝４２には、上記した補強板１５の係止片４１が嵌入可能であり、この係止溝４２の下端部の対向面には、図１０に示すように、一対の突部４３が形成されている。
その他の構造については前記第１実施形態と同様であって、同一機能を有する部位については同一符号を付すことで重複した説明は省略する。
【００２３】
第３実施形態の作用は以下のようである。図７に示すように、フラットケーブル１０の補強部１７を切欠溝１６から山形となるように屈曲したのち、係止片４１を係止溝４２に合わせてハウジング２０の載置面２３に向けて押し込む。係止片４１は、図１０の実線に示すように、斜め姿勢となって一方の突部４３の下側に入り込む。このとき補強板１５の後縁は係止段部２８に当たる。続いて、図８に示すように指で山の頂上を押し込むと、図９に示すように後方への滑り止めがなされつつ山が扁平化され、先端の挿入部１４は強い押し込み力を持って前方の挿入口２５に挿入される。これにより、挿入部１４はターミナル３０の上下の両アーム３２，３３間で挟持されるとともに、各導線１２が上部アーム３２の接点部３４と接触して導通が取られる。
この間、補強板１５の係止片４１は、図１０の鎖線に示すように、両突部４３の下側に入り込み、上方への浮き上がりが防止された状態となる。
【００２４】
この第３実施形態では、フラットケーブル１０の接続作業を簡単にかつ確実に行うことができる効果に加え、係止片４１が突部４３に係止されて補強部１７が山形に復元することが規制されることで、挿入部１４に抜き方向の力が作用することが防止され、また、補強板１５の後縁が係止段部２８に係止された状態に保持されることで、フラットケーブル１０に後方への引張力が作用しても挿入部１４までには及ばず、もって保持力を高めることができる。
【００２５】
＜第４実施形態＞
図１１は本発明の第４実施形態を示す。この第４実施形態では、ハウジング２０に、載置面２３の上方を覆う蓋板４５が備えられている。この蓋板４５は、後端の壁部２１の上縁に設けられたヒンジ４６を介して開閉可能に一体形成されており、一方、ハウジング２０の左右の壁部２２の内面には、一対のロック突部４７が対向して形成されている。
したがって、既述した要領でフラットケーブル１０の挿入部１４を挿入口２５に挿入したのち、蓋板４５を鎖線に示すように閉めてロック突部４７でロックすると、この蓋板４５によりフラットケーブル１０の補強部１７が山形に復元しようとすることが防止される。
【００２６】
なお、フラットケーブル１０の挿入部１４を、露出した導線１２が下面側に来る向きで挿入して、各導線１２がターミナル３０における下部アーム３３の接点部３５に接触する形態とした場合、上記の蓋板４５を利用してフラットケーブル１０を載置面２３に向けて押圧しつつ、挿入部１４を下部アーム３３の接点部３５に向けて押し付ける構造とすると、ターミナル３０の両アーム３２，３３の間で挿入部１４を挟持する力が不要にでき、それにより挿入部１４を挿入する際の無挿入力化を実現することができる。
【００２７】
＜第５実施形態＞
さらに、本発明の第５実施形態を図１２ないし図１６によって説明する。
この第５実施形態のフラットケーブル５０は、図１２に示すように、可撓性を有する帯状の基材５１の先端部の両側に突出部５１Ａが設けられたＴ字状に形成されており、この基材５１の上面に複数条の導線５２が平行に配線されたのち、導線５２が二手に分かれて直角に屈曲されて各突出部５１Ａの先端縁まで配線されている。基材５１の上面は、両突出部５１Ａを除いて樹脂フィルム５３でカバーされ、図１３に示すように、先端の左右両側に、導線５２が露出された２個の挿入部５４が側方に出っ張って形成されている。両挿入部５４にわたる下面には、剛性の高い素材からなる補強板５５が接着され、補強部５７となっており、補強板５５の長さ方向の中央部の下面には、同じく切欠溝５６が全幅にわたって形成されている。
【００２８】
このフラットケーブル５０を接続するためのハウジング６０は、図１３に示すように扁平なブロック状に形成され、同じく図示しない回路基板に取り付けられる。ハウジング６０の上面には、後端側（図１３の奥側）と、左右の側縁に壁部６１，６２が立ち上がって形成されており、壁部６１，６２で囲まれた部分の底面が載置面６３となっている。
【００２９】
左右の壁部６２の内面には、フラットケーブル５０の挿入部５４が挿入される挿入口６５がそれぞれ対向して形成されている。また、左右の壁部６２から載置面６３にわたる部分には、それぞれ複数のスリット状のキャビティ６６が、挿入口６５と交差するようにして横方向に間隔を開けて形成されており、各キャビティ６６内に、ターミナル３０がそれぞれ外面から挿入されて収容されている。ターミナル３０の形状は、第１実施形態に示したものと同様である。
【００３０】
続いて第５実施形態における挿入手順を説明する。
まず、図１４に示すように、フラットケーブル５０が補強板５５の切欠溝５６の部分で屈曲されて、補強部５７からその後方にわたる領域において、長さ方向に沿って稜線を頂くような山形に形成される。次に、山形とされた補強部５７をハウジング６０の載置面６３上に載せる。両挿入部５４は、図１５に示すように、左右の挿入口６５の少し手前に位置している。係る状態から指Ｆで山の頂上を押し込むと、補強部５７が載置面６３上で扁平化されつつ、両挿入部５４は強い押し込み力を持って対応する挿入口６５に挿入される。これにより、図１６に示すように、挿入部５４は下部アーム３３を撓み変形させつつ挿入され、下部アーム３３の復元弾力によって両アーム３２，３３間で挟持されるとともに、各導線５２が上部アーム３２の接点部３４と接触して導通が取られる。
同様に、挿入部５４を途中で座屈を起こすことなく大きな力で挿入口６５内に挿入でき、フラットケーブル５０の接続作業を簡単にかつ確実に行うことができる。
【００３１】
なお、第５実施形態に示した挿入方法は、フラットケーブル５０の形状を、挿入部５４が左右いずれか一側のみに出っ張り状に設けられた形状とする一方、ハウジング６０側では、左右いずれかの壁部６２のみに挿入口６５を設けた構造とした場合に適用できる。すなわち、フラットケーブル５０の先端側を、長さ方向に沿って稜線を頂くような山形に形成してハウジング６０の載置面６３上に載せ、その山の頂上を押し込むと、挿入部５４を設けた側と反対側の山の裾の部分が、挿入口６５が設けられた側とは反対側の壁部６２に当たって滑り止めされつつ載置面６３上で扁平化され、挿入部５４は強い押し込み力を持って挿入口６５に挿入される。
【００３２】
＜第６実施形態＞
図１７及び図１８は、本発明の第６実施形態を示す。この実施形態では、ハウジング６０における後側の壁部６１の内面に、フラットケーブル５０を外すための治具Ｇが挿入可能な治具挿入口７０が、上縁から載置面６３に達するように形成されている。すなわち、図１８に示すように、接続されたフラットケーブル５０をハウジング６０から外す場合に、治具挿入口７０に治具Ｇを差し込んでフラットケーブル５０の先端を引っ掛けてめくると、両挿入部５４を挿入口６５から引き出しつつ簡単に外すことができる。
【００３３】
＜第７実施形態＞
図１９は第７実施形態を示し、フラットケーブル５０の先端側は、予め長さ方向に沿って稜線を頂くような山形に形成されていてもよい。
＜第８実施形態＞
図２０は第８実施形態を示す。この第８実施形態では、第５実施形態に示したような形状のフラットケーブル５０において、補強部５７を山形に屈曲する場合に屈曲しやすいように、補強板が２枚の補強板５５Ａ，５５Ａに分割されて間に隙間５８を設けて貼られている。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）第４実施形態に示したハウジングに蓋体を設けることは、第５実施形態に例示された構造のハウジングにも適用可能である。
（２）第１実施形態に例示したハウジングにおいても、その左右の壁部に、第６実施形態に示した治具挿入口を設けることが可能である。
（３）第１実施形態に例示した形状のフラットケーブルにおいても、その補強部を予め屈曲して形成しておいてもよい。
【図面の簡単な説明】
【図１】本発明の第１実施形態のフラットケーブルとハウジングの一部切欠斜視図
【図２】フラットケーブルの載置動作を示す斜視図
【図３】フラットケーブルの押し込み動作を示す一部切欠斜視図
【図４】フラットケーブルの接続完了状態の一部切欠斜視図
【図５】第２実施形態に係るフラットケーブルの裏面から見た斜視図
【図６】第３実施形態のフラットケーブルとハウジングの斜視図
【図７】フラットケーブルの載置動作を示す斜視図
【図８】フラットケーブルの押し込み動作を示す斜視図
【図９】フラットケーブルの接続完了状態の斜視図
【図１０】浮き上がり防止部分の構造を示す部分拡大正面図
【図１１】第４実施形態に係るハウジングの斜視図
【図１２】本発明の第５実施形態に係るフラットケーブルの分解斜視図
【図１３】フラットケーブルとハウジングの一部切欠斜視図
【図１４】フラットケーブルの載置動作を示す斜視図
【図１５】フラットケーブルの押し込み動作を示す斜視図
【図１６】フラットケーブルの接続完了状態の一部切欠斜視図
【図１７】第６実施形態に係るハウジングの一部切欠斜視図
【図１８】フラットケーブルの取り外し動作を示す一部切欠斜視図
【図１９】第７実施形態に係るフラットケーブルの斜視図
【図２０】第８実施形態に係るフラットケーブルの裏面から見た斜視図
【図２１】従来例の一部切欠斜視図
【図２２】フラットケーブルが座屈した状態を示す一部切欠側面図
【符号の説明】
１０…フラットケーブル
１２…導線
１４…挿入部
１５…補強板
１６…切欠溝
１７…補強部
２０…ハウジング
２３…載置面
２５…挿入口
２６…キャビティ
２８…係止段部
３０…ターミナル
３２，３３…アーム
３４，３５…接点部
１５Ａ…補強板
１８…隙間
４１…係止片
４２…係止溝
４３…突部
４５…蓋板
５０…フラットケーブル
５２…導線
５４…挿入部
５５…補強板
５６…切欠溝
５７…補強部
６０…ハウジング
６３…載置面
６５…挿入口
６６…キャビティ
５５Ａ…補強板
【図１】
0003598788.tif 000002
【図２】
0003598788.tif 000003
【図３】
0003598788.tif 000004
【図４】
0003598788.tif 000005
【図５】
0003598788.tif 000006
【図６】
0003598788.tif 000007
【図７】
0003598788.tif 000008
【図８】
0003598788.tif 000009
【図９】
0003598788.tif 000010
【図１０】
0003598788.tif 000011
【図１１】
0003598788.tif 000012
【図１２】
0003598788.tif 000013
【図１３】
0003598788.tif 000014
【図１４】
0003598788.tif 000015
【図１５】
0003598788.tif 000016
【図１６】
0003598788.tif 000017
【図１７】
0003598788.tif 000018
【図１８】
0003598788.tif 000019
【図１９】
0003598788.tif 000020
【図２０】
0003598788.tif 000021
【図２１】
0003598788.tif 000022
【図２２】
0003598788.tif 000023